(57)【要約】【課題】表示部３または電飾部４の輝度を客観的に自動調整する。【解決手段】端末装置１は、画像を表示可能な表示部３の輝度調整と、個々に点灯可能な複数の電飾部４の輝度調整とを、取外し可能なラインスキャナ２を用いて行う。表示部３の輝度調整制御時には、ラインスキャナ２によって１ライン分ずつ読取られた輝度の各色毎の輝度の平均値が求められ、該輝度の平均値と予め定める基準値との差分が予め定める許容範囲外である場合、差分が許容範囲内に入るように表示部３が制御される。電飾部４の輝度調整時には、ラインスキャナ２によって読取られた各電飾部４の輝度が相互に一致し、かつ該各電飾部４の輝度が予め定める許容範囲内に収まるように、電飾部４が制御される。これによって、端末装置１は表示部３および電飾部４の輝度調整を、簡便かつ確実な手法で客観的かつ自動的に行うことが可能になる。【選択図】      図１
2004236146.tif 000002
【特許請求の範囲】
【請求項１】
取外し可能なラインスキャナと、
表示画面に画像を表示可能な表示手段と、
表示画面の１ライン分の各色毎の輝度の平均値とそれぞれ比較すべき予め定める基準値からなる基準データテーブル、および、表示画面の１ライン分の各色毎の輝度の平均値と基準データテーブルの各色毎の輝度の基準値との差分の予め定める許容範囲を記憶している記憶手段と、
装置全体の駆動制御および表示手段の輝度調整制御をそれぞれ行う制御手段であって、表示手段の調整に際し、
予め定める調整パターンを表示手段の表示画面に表示させ、
ラインスキャナの主走査方向が表示画面の水平軸に略平行になるようにラインスキャナを表示画面上に載せさせた状態で、ラインスキャナに表示画面の輝度を１ライン分ずつ読取らせて、各色毎の輝度のデータを含む読取りデータを出力させ、
読取りデータの各色毎の輝度のデータの平均値を演算し、各色毎の輝度のデータの平均値と基準データテーブルの各色毎の輝度の基準値との差分を求め、
求められた差分が許容範囲外の値である場合、差分が正の値であれば、表示画面への画像の表示に際して表示画面の差分の最も大きい色の輝度を低下させるように表示手段を制御し、差分が負の値であれば、表示画面への画像の表示に際して、差分が許容範囲内に入るまで表示画面の差分の最も大きい色の輝度を増加させるように表示手段を制御することによって、差分を許容範囲内に収める制御手段とを含むことを特徴とする端末装置。
【請求項２】
取外し可能なラインスキャナと、
２以上の色で個々に点灯可能な複数の電飾手段と、
電飾手段の輝度の予め定める許容範囲を記憶している記憶手段と、
装置全体の駆動制御および電飾手段の輝度調整制御をそれぞれ行う制御手段であって、電飾手段の調整に際し、
複数の電飾手段を同時に同色で発光させ、
複数の電飾手段に跨るようにラインスキャナを配置した状態で、ラインスキャナに電飾手段の輝度を１ライン分ずつ読取らせて、各電飾手段の輝度のデータを含む読取りデータを出力させ、
読取りデータの各電飾手段の輝度のデータに基づき、複数の該電飾手段の輝度が相互に等しく、かつ該各電飾手段の輝度が許容範囲内に収まるように、電飾手段を制御する制御手段とを含むことを特徴とする端末装置。
【請求項３】
前記制御手段は、調整パターンが表示されている前記表示画面の上下方向の中央部であってかつ主走査方向が該表示画面の水平軸に該平行になるように載せられているラインスキャナの走査開始のタイミング時刻を、前記表示手段に調整パターンを表示するための表示制御信号の各フレーム開始時刻からフレーム周期の半分だけ遅れた時刻に同期させることを特徴とする請求項１記載の端末装置。
【請求項４】
前記制御手段は、前記ラインスキャナに表示画面の輝度を１ライン分ずつ複数ライン分読取らせて、各ライン毎の読取りデータを出力させ、各色毎に全ラインの読取りデータの輝度のデータの平均値を演算することを特徴とする請求項１または３記載の端末装置。
【請求項５】
前記制御手段が、表示手段の調整に際し、単一色で全体を塗潰したパターンを調整パターンとして表示画面に表示させ、かつ、パターンの色を予め定める周期毎に順次切換えさせることを特徴とする請求項１、３、または４記載の端末装置。
【請求項６】
前記制御手段が、表示手段の調整に際し、１以上の有彩色、黒色、および白色のうちの少なくとも２色の帯状のパターンを水平軸に対して垂直に並べるパターンを調整パターンとして表示画面に表示させることを特徴とする請求項１、３〜５のうちのいずれか１項記載の端末装置。
【請求項７】
前記制御手段が、表示手段の調整に際し、表示の中間調である灰色で全体を塗潰したパターンを調整パターンとして表示画面に表示させることを特徴とする請求項１、３〜６のうちのいずれか１項記載の端末装置。
【請求項８】
前記ラインスキャナと前記制御手段との間でデータを有線媒体を介して伝送するための有線伝送手段を含むことを特徴とする請求項１〜７のうちのいずれか１項記載の端末装置。
【請求項９】
前記ラインスキャナと前記制御手段との間でデータを光通信を用いて伝送するための光伝送手段を含むことを特徴とする請求項１〜８のうちのいずれか１項記載の端末装置。
【請求項１０】
前記ラインスキャナと前記制御手段との間でデータを記憶媒体を用いて伝送するための記憶媒体伝送手段を含むことを特徴とする請求項１〜９のうちのいずれか１項記載の端末装置。
【発明の詳細な説明】
【０００１】
【発明の属する技術分野】
本発明は、ラインスキャナと表示画面を有する表示手段とを含む端末装置、およびラインスキャナと複数の電飾手段とを含む端末装置に関する。
【０００２】
【従来の技術】
従来から、スキャナ付きファクシミリ装置等に代表される端末装置には、本体から取外し可能なラインスキャナの他に、液晶表示装置等に代表される表示部が取付けられている。また、前記端末装置の本体表面には、複数の棒状の電飾部がさらに備えられていることもある。
【０００３】
表示部を備える端末装置において、表示部の表示画面の輝度等を正確に測定するためには、輝度を測定するための装置等の設備投資が伴う。このため、表示部を備える端末装置の一般的な生産工程、および製品のメンテナンス段階での輝度調整は、人手によって主観的に行われている。
【０００４】
また、電飾部を備える端末装置において、各電飾部を構成する発光素子の特性上のばらつきを吸収することが困難であるため、２つ以上の電飾部を同時に点灯させる場合、全ての電飾部の輝度の際の発生を避けることは難しい。このため、電飾部を備える端末装置は、出荷前等に輝度調整が行われている。電飾部を備える端末装置の輝度調整もまた、人手によって主観的に行われている。
【０００５】
表示部を備える端末装置の輝度調整に関する従来技術として、以下のような２種類の従来技術が挙げられる。
【０００６】
第１の従来技術で開示される輝度調整技術では、液晶表示装置内の液晶パネルにおいて、赤緑青（ＲＧＢ）各要素毎のガンマ補正データがメモリに記憶され、記憶されたガンマ補正データを用いて、入力映像信号に対しガンマ補正が適切に行われる。また第１の従来技術では、数個に分割された液晶パネルの表示画面を、たとえば４分割領域等の大まかな領域に分割し、分割された領域の各中心部である４個所毎の平均輝度の差異に対応して各領域のガンマ補正を行い、表示画面全体の輝度特性の均一を図っている。
【０００７】
第２の従来技術で開示される輝度調整技術では、予め用意されている基準フィルム画像を装置に備えられるラインスキャナで読取って第１のデータとして記憶し、画像読取り装置の液晶パネル（ＬＣＤ）の表示画面に表示出力する。さらに表示中の液晶パネルをラインスキャナで読取って第２のデータとして記憶する。第１のデータと第２のデータとが比較され、両データが等しくなるように、液晶パネルの各色毎の表示駆動回路の入カゲインを調整する。
【０００８】
【特許文献１】
特開２００１−２２２２６４号公報
【特許文献２】
特開２０００−３２４３０４号公報
【０００９】
【発明が解決しようとする課題】
従来技術では、表示部を備える端末装置において、表示部ユニットが一旦製造された後、端末装置の構成要素の一部として組込まれた段階では、表示部の輝度調整は、オペレータ等の人手を用いて行われている。また電飾部を備える端末装置における電飾部の輝度調整も、人手を用いて行われている。このため、輝度調整がオペレータの視覚に依存するため、人の視覚の差異および調整環境の明るさの差異に起因する輝度に起因する調整ムラが生じる恐れがある。
【００１０】
上述した第１の従来技術では、液晶パネルの赤緑青各要素毎のガンマ補正に関する技術、および表示画面全体の輝度特性の均一を図る技術について示している。しかしながら、端末装置の構成要素の一つとして組込まれた表示部の輝度自動調整、および製品修復過程での液晶表示部の輝度自動調整する手法については触れられておらず、人手に頼らない輝度調整の実現は、これら技術を用いるだけでは困難である。
【００１１】
また第２の従来技術では、カラー表示部を設けて読取画像データを表示する際にラインスキャナおよび表示部照明を共用し、さらにはその機構的かつ光学的構成を用いて各色毎の表示駆動回路の入カゲインを調整する技術については言及されている。しかし、密着型のラインスキャナによる輝度データの収集等については全く示されていないため、人手に頼らない輝度調整の実現は、これら技術を用いるだけでは困難である。
【００１２】
このように、表示部または電飾部を備える端末装置において、人手に頼ることなく客観的に輝度を自動調整して輝度調整ムラのない表示輝度を設定する技術は未解決であり、課題である。
【００１３】
本発明の目的は、表示部または電飾部とラインスキャナとを備える端末装置において客観的な輝度の自動調整を行うことができる端末装置を提供することである。
【００１４】
【課題を解決するための手段】
本発明は、取外し可能なラインスキャナと、
表示画面に画像を表示可能な表示手段と、
表示画面の１ライン分の各色毎の輝度の平均値とそれぞれ比較すべき予め定める基準値からなる基準データテーブル、および、表示画面の１ライン分の各色毎の輝度の平均値と基準データテーブルの各色毎の輝度の基準値との差分の予め定める許容範囲を記憶している記憶手段と、
装置全体の駆動制御および表示手段の輝度調整制御をそれぞれ行う制御手段であって、表示手段の調整に際し、
予め定める調整パターンを表示手段の表示画面に表示させ、
ラインスキャナの主走査方向が表示画面の水平軸に略平行になるようにラインスキャナを表示画面上に載せさせた状態で、ラインスキャナに表示画面の輝度を１ライン分ずつ読取らせて、各色毎の輝度のデータを含む読取りデータを出力させ、
読取りデータの各色毎の輝度のデータの平均値を演算し、各色毎の輝度のデータの平均値と基準データテーブルの各色毎の輝度の基準値との差分を求め、
求められた差分が許容範囲外の値である場合、差分が正の値であれば、表示画面への画像の表示に際して表示画面の差分の最も大きい色の輝度を低下させるように表示手段を制御し、差分が負の値であれば、表示画面への画像の表示に際して、差分が許容範囲内に入るまで表示画面の差分の最も大きい色の輝度を増加させるように表示手段を制御することによって、差分を許容範囲内に収める制御手段とを含むことを特徴とする端末装置である。
【００１５】
本発明に従えば、端末装置は、取外し可能なラインスキャナと、画像を表示可能な表示手段と、端末装置全体の駆動制御を行う制御手段とを含む。制御手段は、駆動制御の他に、ラインスキャナを用いた表示手段の輝度調整制御も行う。輝度調整制御時にラインスキャナによって１ライン分ずつ読取られた輝度の各色毎の輝度の平均値と予め定める基準値との差分が予め定める許容範囲外である場合、差分が許容範囲内に入るように表示手段が制御される。すなわち、差分の最も大きい色に注目して、差分がプラスであれば輝度を低下するように表示手段が制御され、逆に差分がマイナスであれば、輝度を上昇するように表示手段が制御される。この結果、オペレータの視覚だけに依存することなく、端末装置の最も使用される環境の明るさに応じて、表示画面の輝度が客観的に調整される。これによって、端末装置は、人手による視覚および調整環境の明るさの差異に起因する輝度の調整ムラを、簡便かつ確実な手法で客観的かつ自動的に解消することが可能になる。
【００１６】
また本発明は、取外し可能なラインスキャナと、
２以上の色で個々に点灯可能な複数の電飾手段と、
電飾手段の輝度の予め定める許容範囲を記憶している記憶手段と、
装置全体の駆動制御および電飾手段の輝度調整制御をそれぞれ行う制御手段であって、電飾手段の調整に際し、
複数の電飾手段を同時に同色で発光させ、
複数の電飾手段に跨るようにラインスキャナを配置した状態で、ラインスキャナに電飾手段の輝度を１ライン分ずつ読取らせて、各電飾手段の輝度のデータを含む読取りデータを出力させ、
読取りデータの各電飾手段の輝度のデータに基づき、複数の該電飾手段の輝度が相互に等しく、かつ該各電飾手段の輝度が許容範囲内に収まるように、電飾手段を制御する制御手段とを含むことを特徴とする端末装置である。
【００１７】
本発明に従えば、端末装置は、取外し可能なラインスキャナの他に、個々に点灯可能な複数の電飾手段を含む。制御手段は、端末装置全体の駆動制御のほかに、ラインスキャナを用いて電飾手段の輝度調整制御も行う。すなわち、輝度調整制御時にラインスキャナによって読取られた各電飾手段の輝度が相互に一致し、かつ該各電飾手段の輝度が予め定める許容範囲内に収まるように、制御部によって電飾手段が制御される。この結果、オペレータの視覚だけに依存することなく、端末装置が最も使用される環境の明るさにおいて、電飾手段本来の目的に合わせて、複数の電飾手段の輝度が客観的に同一に調整される。これによって、端末装置は、使用環境で適当に目立ちやすくかつ輝度の調整ムラのない品位のある発光表示を、簡便かつ確実な手法で客観的に自動調整することができる。
【００１８】
また本発明の端末装置は、前記制御手段は、調整パターンが表示されている前記表示画面の上下方向の中央部であってかつ主走査方向が該表示画面の水平軸に該平行になるように載せられているラインスキャナの走査開始のタイミング時刻を、前記表示手段に調整パターンを表示するための表示制御信号の各フレーム開始時刻からフレーム周期の半分だけ遅れた時刻に同期させることを特徴とする。
【００１９】
本発明に従えば、端末装置において、表示手段の輝度調整時に、ラインスキャナが、調整パターンが表示されている前記表示画面の上下方向の中央部に、かつ主走査方向が該表示画面の水平軸に該平行になるように、載せられる。これによって、ラインスキャナは、表示画面の赤青緑（赤緑青）各色の輝度を平均的に取得することができる。また表示手段の輝度調整時に、制御手段は、表示画面に調整パターンを表示するための表示制御信号の各フレーム開始時刻から１／２フレーム周期分だけ遅れた時刻に同期して、ラインスキャナの走査開始時刻を設定する。この結果、ラインスキャナの用紙送り方向である副走査方向の同期制御が、調整パターンの表示制御信号の各フレーム開始時刻から１／２フレーム周期分だけ遅れた時刻の同期制御に切替えられた状態で、主走査を行うことが可能になる。これによって、ラインスキャナの走査タイミングがフレーム周期内の帰線期間等に出くわすことを避けることができる。すなわち、ラインスキャナの走査タイミングが表示画面の中央のラインが概ね表示駆動を受けたタイミングの直後に相当するので、ラインスキャナによって比較的安定した輝度を測定することができる。
【００２０】
また本発明の端末装置は、前記制御手段は、前記ラインスキャナに表示画面の輝度を１ライン分ずつ複数ライン分読取らせて、各ライン毎の読取りデータを出力させ、各色毎に全ラインの読取りデータの輝度のデータの平均値を演算することを特徴とする。
【００２１】
本発明に従えば、端末装置において、ラインスキャナが表示画面の輝度を１ライン分ずつ複数ライン分読取り、制御手段が複数ライン分の輝度のデータの平均値を各色毎に演算して、演算結果に基づき輝度調整制御を自動で行う。これによって、表示画面に対するラインスキャナの位置の精度に関わらず、端末装置は正確な輝度調整を自動的に行うことができる。
【００２２】
また本発明の端末装置は、前記制御手段が、表示手段の調整に際し、単一色で全体を塗潰したパターンを調整パターンとして表示画面に表示させ、かつ、パターンの色を予め定める周期毎に順次切換えさせることを特徴とする。
【００２３】
本発明に従えば、端末装置の制御手段は、表示手段の調整に際し、調整パターンとして、表示画面全体に単一色を塗潰すように表示させ、かつ、表示する色を予め定める周期毎に順次切換えさせる。これによって、端末装置は、端末装置にとって単純な処理で調整パターンを表示させることができるため、処理を簡略化させることができる。
【００２４】
また本発明の端末装置は、前記制御手段が、表示手段の調整に際し、１以上の有彩色、黒色、および白色のうちの少なくとも２色の帯状のパターンを水平軸に対して垂直に並べるパターンを調整パターンとして表示画面に表示させることを特徴とする。
【００２５】
本発明に従えば、端末装置の制御手段は、表示手段の調整に際し、調整パターンとして、赤青緑に代表される１以上の有彩色、黒色、および白色のうちの少なくとも２色の帯状のパターンを水平軸に対して垂直に並べるパターンを表示させる。これによって、端末装置は、１種類の調整パターンを用いて２種類以上の色の輝度を調整することが可能になるため、処理を簡略化することができる。
【００２６】
また本発明の端末装置は、前記制御手段が、表示手段の調整に際し、表示の中間調である灰色で全体を塗潰したパターンを調整パターンとして表示画面に表示させることを特徴とする。
【００２７】
本発明に従えば、端末装置の制御手段は、表示手段の調整に際し、調整パターンとして、表示の中間調である灰色で全体を塗潰したパターンを表示させる。これによって、端末装置は、１種類の調整パターンを用いて２種類以上の色の輝度を調整することが可能になるため、処理を簡略化することができる。
【００２８】
また本発明の端末装置は、前記ラインスキャナと前記制御手段との間でデータを有線媒体を介して伝送するための有線伝送手段を含むことを特徴とする。
【００２９】
本発明に従えば、端末装置は、ラインスキャナと制御手段との間のデータ伝送を、有線媒体を介した有線伝送によって行う。これによって端末装置は、データ伝送のための従来のワイヤー直結用のインタフェイスをそのまま輝度調整に用いることができるため、装置構成の煩雑化を防止することができる。
【００３０】
また本発明の端末装置は、前記ラインスキャナと前記制御手段との間でデータを光通信を用いて伝送するための光伝送手段を含むことを特徴とする。
【００３１】
本発明に従えば、端末装置は、ラインスキャナと制御手段との間のデータ伝送を、赤外線通信（ＩｒＤＡ）に代表されるような光通信によってよって行う。これによって端末装置は、たとえば有線伝送用のケーブルが邪魔になるような環境下であっても容易に輝度調整用のデータを伝送することができるため、前記環境下でも輝度調整を行うことができる。
【００３２】
また本発明の端末装置は、前記ラインスキャナと前記制御手段との間でデータを記憶媒体を用いて伝送するための記憶媒体伝送手段を含むことを特徴とする。
【００３３】
本発明に従えば、端末装置は、ラインスキャナと制御手段との間のデータ伝送を、カード状媒体等の記憶媒体を介在させて行う。これによって端末装置は、たとえばラインスキャナ側で記憶媒体に書込ませた読取りデータを本体側で読出させて制御手段に与えることによって輝度調整を行うことができるため、より簡潔に輝度調整を行うことができる。
【００３４】
【発明の実施の形態】
図１は、本発明の実施の一形態である端末装置１の構成を示すブロック図である。端末装置１は、ラインスキャナ２、表示部３、複数の電飾部４、記憶部５、および制御部６を少なくとも含む。表示部３および電飾部４は、少なくとも一方が含まれていれば良い。表示部３、電飾部４、記憶部５、制御部６は、本体に含まれる。ラインスキャナ２は、本体から取外し可能に構成される。
【００３５】
ラインスキャナ２は、対象物表面を少なくとも１ライン分ずつ読取り、各色毎の輝度のデータを含む読取りデータを出力する。表示部３は表示画面を備え、制御部６の制御に応答して、表示画面に画像を表示可能に構成される。各電飾部４は、２以上の色で個々に点灯可能である。記憶部５は、制御部６で用いられる各種のデータを記憶している。記憶部５には、表示部３の基準データテーブル、表示部３の輝度差分の予め定める許容範囲、および電飾部４の輝度の予め定める許容範囲が、少なくとも記憶されている。表示部３の基準データテーブルは、表示画面の１ライン分の各色毎の輝度の平均値とそれぞれ比較すべき予め定める基準値からなる。表示部３の輝度差分は、表示画面の１ライン分の各色毎の輝度の平均値と基準データテーブルの各色毎の輝度の基準値との差分である。制御部６は、装置全体の駆動制御、表示部３の輝度調整制御、電飾部４の輝度調整制御をそれぞれ行う。
【００３６】
制御部６は、表示部３の輝度調整に際し、まず、予め定める調整パターンを表示部３の表示画面に表示させる。次いで、ラインスキャナ２の主走査方向が表示画面の水平軸に略平行になるように、ラインスキャナ２を表示画面上に載せさせ、ラインスキャナ２に表示画面の輝度を１ライン分ずつ読取らせて、各色毎の輝度のデータを含む読取りデータを出力させる。続いて、読取りデータの各色毎の輝度のデータの平均値を演算し、各色毎の輝度のデータの平均値と基準データテーブルの各色毎の輝度の基準値との差分を求める。求められた差分に基づいて、制御部６は、表示部３への画像の表示に際して、差分を許容範囲内に収めるように制御する。すなわち、求められた差分が許容範囲外の値である場合、差分が正の値であれば、表示画面の差分の最も大きい色の輝度を低下させるように表示部３を制御し、差分が負の値であれば、表示画面への画像の表示に際して、差分が許容範囲内に入るまで表示画面の差分の最も大きい色の輝度を増加させるように表示部３を制御する。
【００３７】
この結果、オペレータの視覚だけに依存することなく、端末装置１の最も使用される環境の明るさに応じて、表示画面の輝度が客観的に調整される。これによって、端末装置１は、人手による視覚および調整環境の明るさの差異に起因する輝度の調整ムラを、簡便かつ確実な手法で客観的かつ自動的に解消することが可能になる。
【００３８】
また制御部６は、電飾部４の輝度調整に際し、まず、複数の電飾部４を同時に同色で発光させる。次いで、複数の電飾部４に跨るようにラインスキャナ２を配置した状態で、ラインスキャナ２に電飾部４の輝度を１ライン分ずつ読取らせて、各電飾部４の輝度のデータを含む読取りデータを出力させる。制御部６は、電飾部４の発光表示に際して、読取りデータの各電飾部４の輝度のデータに基づき、複数の該電飾部４の輝度が相互に等しく、かつ該各電飾部４の輝度が許容範囲内に収まるように、電飾部４を制御する。この結果、オペレータの視覚だけに依存することなく、端末装置１が最も使用される環境の明るさにおいて、電飾部４本来の目的に合わせて、複数の電飾部４の輝度が客観的に同一に調整される。これによって、端末装置１は、使用環境で適当に目立ちやすくかつ輝度の調整ムラのない品位のある発光表示を、簡便かつ確実な手法で客観的に自動調整することができる。
【００３９】
図１の端末装置１において、好ましくは、表示部３の輝度調整時に、ラインスキャナ２が、調整パターンが表示されている前記表示画面の上下方向の中央部に、かつ主走査方向が該表示画面の水平軸に該平行になるように、載せられる。これによって、ラインスキャナ２は、表示画面の赤青緑（ＲＧＢ）各色の輝度を平均的に取得することができる。また好ましくは、表示部３の輝度調整時に、制御部６は、表示画面に調整パターンを表示するための表示制御信号の各フレーム開始時刻からフレーム周期の半分、すなわち１／２フレーム周期分だけ遅れた時刻に同期して、ラインスキャナ２の走査開始時刻を設定する。この結果、ラインスキャナ２の用紙送り方向である副走査方向の同期制御が、調整パターンの表示制御信号の各フレーム開始時刻から１／２フレーム周期分だけ遅れた時刻の同期制御に切替えられた状態で、主走査を行うことが可能になる。これによって、ラインスキャナ２の走査タイミングがフレーム周期内の帰線期間等に出くわすことを避けることができる。すなわち、ラインスキャナ２の走査タイミングが表示画面の中央のラインが概ね表示駆動を受けたタイミングの直後に相当するので、ラインスキャナ２によって比較的安定した輝度を測定することができる。
【００４０】
輝度調整時には、たとえば、ラインスキャナ２は、機械操作等によって精密に表示画面上に案内するとは限らず、簡単な持具等を用いて案内されることもある。このため、表示画面に対するラインスキャナ２の位置の基準位置に対する上下方向への差異、およびラインスキャナ２の主走査方向と表示画面の水平軸との傾きに応じて、読取られる輝度が異なることが予想される。このため、好ましくは、端末装置１において、ラインスキャナ２が表示画面の輝度を１ライン分ずつ複数ライン分読取り、制御部６が複数ライン分の輝度のデータの平均値を各色毎に演算して、演算結果に基づき輝度調整制御を自動で行う。これによって、表示画面に対するラインスキャナ２の位置の精度に関わらず、端末装置１は正確な輝度調整を自動的に行うことができる。
【００４１】
表示部３の輝度調整時に用いるべき調整パターンは、好ましくは、以下の３種類のうちの少なくとも１種類であればよい。さらに好ましくは、端末装置１は、第１〜第３調整パターンを適宜選択可能に構成されている。これによって、端末装置１は、装置の用途および使用環境、さらには調整環境に合わせて、最適な調整パターンを選択することができるため、使い勝手が向上する。
【００４２】
第１調整パターンは、表示画面全体が単一色によって塗潰されるパターンであり、かつ、表示する色が予め定める周期毎に順次切換えさせられる。これによって、端末装置１は、端末装置１にとって単純な処理で調整パターンを表示させることができるため、処理を簡略化させることができる。
【００４３】
第２調整パターンは、赤青緑に代表される１以上の有彩色、黒色、および白色のうちの少なくとも２色の帯状のパターンを水平軸に対して垂直に並べるパターンである。これによって、端末装置１は、１種類の調整パターンを用いて２種類以上の色の輝度を調整することが可能になるため、処理を簡略化することができる。また、このような調整パターンが用いられる場合、端末装置１は、人の視覚および機械のどちらであっても、複数の色の表示輝度を同時に比較することができる。これによって端末装置１は、端末装置１が最も使われやすい照明環境に置かれた状態で多くの人の視覚での最適輝度を採集して、調整対象の端末装置１の標準的な輝度データの平均値を求め、機種毎の調整時の基準値を決定する際に役立てることができる。
【００４４】
第３調整パターンは、表示の中間調である灰色で全体を塗潰したパターンである。たとえば、表示部３が赤緑青の三原色の加法混色を用いるカラー表示を行う場合、第３調整パターンの灰色は、いわゆるカラー中間調、すなわち機種毎に設定されている３原色の基準値を加法混色して得られる灰色である。表示部３が白黒の２色を用いるモノクロ表示を行う場合、第３調整パターンの灰色は、、いわゆるモノクロ中間調、すなわち白色と黒色との中間である灰色である。灰色画面の色の変化は人の視覚では分別し難いが、本発明の端末装置１では、ラインスキャナ２での測定結果と比較するべき灰色の基準値を予め設けておくことによって、一種類のカラーまたはモノクロテストパターンで輝度調整を可能にしている。これによって、端末装置１は、１種類の調整パターンを用いて２種類以上の色の輝度を調整することが可能になるため、処理を簡略化することができる。
【００４５】
また端末装置１は、ラインスキャナ２と制御部６との間でデータを伝送するための伝送部として、好ましくは、有線伝送部７と光伝送部８と記憶媒体伝送部９のうちの少なくとも１つを有する。さらに好ましくは、端末装置１は、３種類の伝送部のうちの少なくとも２つを備える。これによって、端末装置１は、装置の用途および使用環境、さらには調整環境に合わせて、最適な伝送手法を選択することができるため、使い勝手が向上する。
【００４６】
有線伝送部７は、ラインスキャナ２と制御部６との間のデータ伝送を、有線媒体を介した有線伝送によって行う。これによって端末装置１は、データ伝送のための従来のワイヤー直結用のインタフェイスをそのまま輝度調整に用いることができるため、装置構成の煩雑化を防止することができる。光伝送部８は、ラインスキャナ２と制御部６との間のデータ伝送を、赤外線通信（ＩｒＤＡ）に代表されるような光通信によってよって行う。これによって端末装置１は、たとえば有線伝送用のケーブルが邪魔になるような環境下であっても容易に輝度調整用のデータを伝送することができるため、前記環境下でも輝度調整を行うことができる。記憶媒体伝送部９は、ラインスキャナ２と制御手段との間のデータ伝送を、カード状媒体等の記憶媒体を介在させて行う。これによって端末装置１は、たとえばラインスキャナ２側で記憶媒体に書込ませた読取りデータを本体側で読出させて制御手段に与えることによって輝度調整を行うことができるため、より簡潔に輝度調整を行うことができる。
【００４７】
図１の端末装置１の具体的な構成を以下に説明する。図１の端末装置１は、取外し可能なラインスキャナ２を含むファクシミリ装置で実現されている。端末装置１は、好ましくは、ラインスキャナ２、表示部３、複数の電飾部４、記憶部５、制御部６、有線伝送部７、光伝送部８、および記憶媒体伝送部９の他に、データバス１１、タイマ１２、パネルキーボード１３、Ｉ／０コントローラ１４、印刷装置１５、網制御装置（Ｎｅｔｗｏｒｋｃｏｎｔｒｏｌｕｎｉｔ：ＮＣＵ）１６、モデム１７、およびスピーカ１８をさらに含む。表示部３は、カラー液晶表示部２１、液晶コントローラ２２、表示用メモリ２３、バックライト２４、およびバックライト供給電圧制御回路２５を含む。カラー液晶表示部２１は、液晶データ電極駆動回路２６、液晶走査電極駆動回路２７、およびカラー液晶ディスプレイパネル２８を含む。電飾部４は右電飾部４Ｒと左電飾部４Ｌとが用意されており、左右電飾部４をそれぞれ制御するための電飾表示制御回路２９を含む。記憶部５は、リードオンリメモリ（ＲｅａｄＯｎｌｙＭｅｍｏｒｙ：ＲＯＭ）３１、ランダムアクセスメモリ（ＲａｎｄｏｍＡｃｃｅｓｓＭｅｍｏｒｙ：ＲＡＭ）３２、およびフラッシュメモリ３３を含む。
【００４８】
制御部６とデータバス１１とは、端末全体の制御を行う。データバス１１は、制御部６と他の構成部品とデータおよび命令の送受を受持つ。リードオンリメモリ３１とランダムアクセスメモリ３２とフラッシュメモリ３３とは、データバス１１につながる。リードオンリメモリ３１には、調整モードプログラム、調整パターンテーブル、およびファクシミリ機能などのルーチン業務プログラムが格納されている。ランダムアクセスメモリ３２には、少なくとも、スキャナで一旦読取られて本体に転送され記憶された複数ライン分のデータを記憶するラインメモリが含まれる。不揮発メモリであるフラッシュメモリ３３には、表示部３および電飾部４の表示輝度調整に必要なデータが格納される。具体的には、フラッシュメモリ３３には、バックライト２４調整値、赤緑青の表示輝度基準値のテーブル、左右電飾部４調整値、および電飾部輝度基準値が含まれる。
【００４９】
タイマ１２は、遅延時間およびタイマ１２時間の設定に係る。パネルキーボード１３は、テンキー、ファンクションキー、カーソルキー、および決定キー等を含み、利用者によって操作される。液晶コントローラ２２は、制御部６からの制御に応答して、カラー液晶表示部２１を直接制御する。表示用メモリ２３は、表示部３の表示画面に表示すべき画像のデータを記憶する。バックライト２４は、カラー液晶ディスプレイパネル２８を裏面から照明する、バックライト供給電圧制御回路２５は、バックライト２４への供給電圧を制御する。イルミネーション表示制御回路１９は、制御部６からの制御に応答して、左右電飾部４を直接制御する。Ｉ／０コントローラ１４は、バックライト供給電圧制御回路２５およびイルミネーション表示制御回路とデータバス１１との間に介在され、両者の間の信号およびデータの入出力を制御する。印刷装置１５は、制御部６からの制御に応答して、画像を記録紙に印刷する。網制御装置１６は、回線制御し回線と端末の状態を管理して、通信の開始および終了を制御し、公衆電話交換ネットワークに端末装置１を繋ぐ。モデム１７は、変復調装置であって、網制御装置１６からのデータを復調し、網制御装置１６へのデータを変調する。スピーカ１８は、エラー発生時のブザー発鳴、およびルーチンワークで各種音声出力に用いられる。
【００５０】
図２は、図１の端末装置１に備えられるラインスキャナ２の構成を示すブロック図である。ラインスキャナ２は、本体部から取外し可能ないわゆるハンディスキャナを構成している。ラインスキャナ２は、たとえば、インタフェース部４１、照明部４２、密着型１次元イメージセンサ４３、増幅器４４、シェーディング補正回路４５、Ａ／Ｄ変換器４６、ゴムローラ４７、回転検出器４８、副走査同期制御部４９、スキャナ制御部５０、１ライン多値化メモリ５１、画像圧縮伸張部５２、画像メモリ部５３、および電源部５４を含む。
【００５１】
取外し可能なラインスキャナ２は、本体部との間で画像信号および制御信号のやり取りが可能なように、インタフェース部４１を介して本体側のデータバス１１に連結されている。ラインスキャナ２内部において、照明が読取るべき原稿面を照らしている。１ライン毎に、照らされた原稿面からの反射光が密着型１次元イメージセンサ４３でアナログ電気信号である画像信号に変換されて、増幅器４４およびシェーディング補正回路４５を経てＡ／Ｄ変換器４６に導かれる。Ａ／Ｄ変換器４６は、アナログ電気信号である画像信号をデジタルデータである画像データに変換して、１ライン多値化メモリ５１に記憶させる。原稿面の読取りと平行して、ゴムローラ４７は、原稿面とスキャナとの相対的なの走行状態を伝えるために、該走行状態に沿って回転している。回転検出器４８は、ゴムローラ４７の回転を検出して、エンコーダ出力として出力する。通常モードであれば、回転検出器４８のエンコーダ出力が副走査同期制御部４９に伝えられ、スキャナ制御部５０からの制御信号に応答して、１ライン多値化メモリ５１の内容がインタフェース部４１を介して本体側に送出される。本体側では、必要に応じて、画像データに対する２値化処理が選択されて実行される。
【００５２】
本体側で調整モードプログラムが実行開始される場合、すなわち調整モードであれば、データバス１１を通して、本体部からスキャナ制御部５０に対して、調整モードの開始信号が送られる。調整モード開始信号に応答して、スキャナ制御部５０は、照明部４２を消灯し、回転検出器４８および副走査同期制御部４９の出力を無効にする。したがって、調整モード開始後のスキャン主走査開始制御は、本体側からの制御信号によって行われる。すなわち、後述する表示画面フレーム開始時刻に関連する制御信号をスキャナ制御部５０が受取ることによって、Ａ／Ｄ変換器４６が作動し、密着型１次元イメージセンサ４３で読取られた１ライン分の画像データが１ライン多値化メモリ５１に記憶される。さらに記憶された画像データは、本体側の制御信号を受けて、該制御信号によって決められたタイミングで、順次インタフェース部４１を介して本体側のラインメモリに送込まれる。
【００５３】
また１ライン多値化メモリ５１には、画像圧縮伸張部５２および画像メモリ部５３がつながっており、１ライン分以上の画像データをラインスキャナ２内に一時的に圧縮記憶し、かつ圧縮された画像データを伸張して呼出すことができるように構成されている。さらに、本体側とラインスキャナ２とがワイヤレス接続可能になるように、ラインスキャナ２内の各構成部品に電力を供給するための電池を含む電源部５４が、ラインスキャナ２内に内蔵される。
【００５４】
図３は、表示部３の輝度調整時の第１調整パターンである３原色べた画像を示す模式図である。第１調整パターンは、図３（Ａ）に示す赤色（Ｒ）のべた画像と、図３（Ｂ）に示す緑色（Ｇ）のべた画像と、図３（Ｃ）に示す青色（Ｂ）のべた画像とが、順次切換えられる。ラインスキャナ２は、図３（Ａ）に示すように、各べた画像の水平方向の中央部に、表示画面の水平軸と略平行になるように配置される。
【００５５】
図４は、表示部３の輝度調整時の第２調整パターンである３原色帯状同時表示画像を示す模式図である。３原色帯状同時表示画像では、白色（Ｗ）と赤色（Ｒ）と緑色（Ｇ）と青色（Ｂ）と黒色（ＢＬ）との帯が、水平軸に略平行に並べられている。ラインスキャナ２は、３原色帯状同時表示画像の水平方向の中央部に、表示画面の水平軸と略平行になるように配置される。特に図４の例では、表示画面の横幅が１００ｍｍであれば、横幅の５分の１である２０ｍｍ毎に帯状パターンの色を変え、かつ、少なくとも両端を除く領域に赤緑青の３原色の帯が配置されている。
【００５６】
図５は、表示部３の輝度調整時の第３調整パターンである灰色べた画像を示す模式図である。ラインスキャナ２は、灰色べた画像の水平方向の中央部に、表示画面の水平軸と略平行になるように配置される。
【００５７】
図６は、電飾部４部の輝度調整時の状態を示す模式図である。図１の端末装置１は、たとえば表示部３の表示画面の左右に棒状の電飾部４が配置されており、電飾部４の長手方向が表示画面の水平軸と略直交している。ラインスキャナ２は、左右の電飾部４に跨るように、たとえば表示画面の水平軸と略平行になるように配置される。かつ、電飾部４の輝度調整時には、表示画面全体が黒色表示になっていることが好ましい。
【００５８】
図７は、図１の端末装置１全体の動作を説明するためのフローチャートである。ステップＳ９００である電源未投入の状態から、ステップＳ９０１で端末装置１の電源が投入された後、ステップＳ９０２で、電源投入と同時に予め定める特定キーの入力があったか否かが判断される。特定キーの同時入力があれば、ステップＳ９０９以後の調整モードに移行し、なければステップＳ９０３以後のノーマルモードに移行する。調整モードは、表示部３および電飾部４の輝度調整を行うためのモードである。ノーマルモードは、端末装置１本体の動作を行うためのモードである。
【００５９】
まず、ノーマルモードでは、端末装置１の初期化（イニシャライズ）のためのプログラムが作動する。ステップＳ９０３において、フラッシュメモリ３３内のバックライト２４調整値Ｌｓが、コマンドと共に、バックライト供給電圧制御回路２５に送られる。バックライト２４調整値Ｌｓは、表示部３の輝度設定値を決めるための値であり、たとえば２５６階調で表現されている。
【００６０】
入力されたバックライト２４調整値Ｌｓは、バックライト供給電圧制御回路２５内のラッチ回路で保持される。さらにバックライト供給電圧制御回路２５は、液晶バイアス用昇圧型スイッチングレギュレータを含み、たとえば、電子ボリュームの２５６階調で表現され、最低輝度に相当する１８Ｖから最大輝度に相当する３０Ｖまで、Ｏ．０４６９Ｖステップで液晶駆動用電源電圧ＶＥＥを変化させることができる。たとえば、ラッチ回路で保持された制御値の階調が「１９５」であれば、バックライト供給電圧制御回路２５は、バックライト２４への供給電圧を約２７Ｖに設定して、バックライト２４の輝度を保持することになる。
【００６１】
次にステップＳ９０４において、イルミネーション輝度設定についてもフラッシュメモリ３３内の左右イルミネーション調整値Ｉｓ１，Ｉｓ２が、フラッシュメモリ３３からイルミネーション表示制御回路へ、コマンドと共に送られる。左右イルミネーション調整値Ｉｓ１，Ｉｓ２は、左右電飾部４の輝度設定値を決めるための値であり、たとえば６４階調で表現されている。左右イルミネーション調整値Ｉｓ１，Ｉｓ２は、イルミネーション表示制御回路内の２つのラッチメモリ回路によってそれぞれ保持される。
【００６２】
イルミネーション表示制御回路は、たとえば、可変抵抗器で実現される電子ボリュームを含み、入力制御によって、左右電飾部４内の発光ダイオードの輝度を制御する。電子ボリュームは発光ダイオードにコレクタ負荷としてシリーズ接続されており、トランジスタ・スイッチング回路を形成している。トランジスタ・スイッチング回路のべース端子に加えられる発光ダイオードＯＮ／ＯＦＦ制御信号によって、トランジスタもＯＮ／ＯＦＦし、発光ダイオードが点灯／消灯する。
【００６３】
イルミネーション表示制御回路の電子ボリュームの抵抗値は、たとえば、最高輝度に相当する０Ωから最低輝度に相当する１ｋΩまでの範囲で６４階調に分割され、１５，６２５Ω／ステップで変化する。発光ダイオード点灯時の明るさは、電子ボリュームの抵抗値に反比例する。したがって、左右の２つの発光ダイオードが同時に点灯する場合の輝度は、２つのラッチメモリ回路で保持された左右イルミネーション調整値Ｉｓ１，Ｉｓ２で決定される。
【００６４】
続くステップＳ９０５において、端末装置１の輝度設定以外のその他の初期設定が行われる。次いで、ステップＳ９０６において、ノーマルモードで実行すべき端末装置１本来の処理が実行される。ステップＳ９０７において、ステップＳ９０６の処理が終了したか否かが判断され、未終了であれば、ステップＳ９０６に戻る。ステップＳ９０６の処理が終了した場合、ステップＳ９０８でか否かが判断され、端末装置１への電源がＯＦＦにされ、ステップＳ９０１に戻る。
【００６５】
前述のステップＳ９０２で調整モードへの移行が選択されると、ステップＳ９０９において、リードオンリメモリ３１に格納された調整モードプログラムが起動する。ステップＳ９１０において、表示部３の表示画面に、調整項目が表示され、ステップＳ９１１において、オペレータはパネルボード上のカーソルキーおよび決定キーを操作して、調整項目を選択する。ステップＳ９１２において、選択された調整項目が表示部３の輝度調整か否かが判断される。表示部３の輝度調整が選択された場合、ステップＳ９１２からステップＳ９１３以後の表示部輝度調整モードに移行し、なければステップＳ９１７において、選択された調整項目が電飾部４の輝度調整か否かが判断される。電飾部４の輝度調整が選択された場合、ステップＳ９１７からステップＳ９１８以後の表示部輝度調整モードに移行し、なければステップＳ９１３からステップＳ９２２のその他の調整処理に移行する。
【００６６】
表示部輝度調整モードでは、ステップＳ９１３において、リードオンリメモリ３１に格納されている調整パターンテーブルから指定の調整パターンテーブルが読取られ、液晶コントローラ２２を経由して、調整パターンテーブルに基づく画像データが、１画面分のバッファとして、表示用メモリ２３に展開される。展開される画像データは、たとえば、液晶コントローラ２２の制御に従い、カラー液晶表示部２１のデータ電極駆動回路および走査電極駆動回路によって駆動されるカラー液晶ディスプレイパネル２８の表示画面上に、たとえば１秒あたり６０フレーム（６０フレーム／ｓｅｃ）かつデューテイサイクル２４０分の１（１／２４０）で制御されて、画像として表示される。これによって、調整パターンが表示画面に表示される。以後の説明では、ステップＳ９１３において、第１調整パターンである３原色べた画像順次切替表示が選択され、かつ最初の赤色ベタ画像が表示される場合を例としている。
【００６７】
表示部３の表示画面は、たとえば、水平方向に赤緑青の液晶素子が３２０画素分配列され、垂直方向に２４０画素分配列されている。１画素のドット大きさは、たとえば縦横０．３１５ｍｍ（Ｏ．３１５ｍｍ×Ｏ．３１５ｍｍ）であり、水平方向が赤緑青の各色に３等分され、画面全体に整列し手は位置されるので、水平方向には９６０個の素子が並ぶことになる。水平方向の９６０個の素子に一斉にデータが送られ、該データはフレーム周期１６．７ミリ秒（１６．７ｍｓｅｃ）毎に更新されている。
【００６８】
ステップＳ９１３で表示画面上に表示部輝度調整用の調整パターンが表示されると、次のステップＳ９１４で、オペレータによって、表示画面の中央部に、かつ表示画面の水平軸と平行に、ラインスキャナ２が載せられる。ラインスキャナ２の設置後、オペレータがパネルキーボード１３上の決定キーを押す。ステップＳ９１５でパネルキーボード１３上の決定キーの押下が検出されると、ステップＳ９１６において、表示部３の輝度自動調整ルーチンが実行される。
【００６９】
電飾部４の輝度調整モードでは、ステップＳ９１８において、まず調整パターンテーブルからイルミネーション点灯データが取得される。イルミネーション点灯データは、たとえば、電飾部４内の赤色発光ダイオードの点灯と緑色発光ダイオードの点灯との切替え周期を示すデータである。次いで、取得されたイルミネーション点灯データに基づいて、操作パネル上の左右電飾部４が同時に同色になるように点灯され、かつ、たとえば１秒等の所定周期毎に、交互に赤色点灯と緑色点灯とが繰返されるように制御される。
【００７０】
次いで、ステップＳ９１９において、オペレータによって、左右電飾部４に交叉するように、ラインスキャナ２が載せられる。ラインスキャナ２の設置後、オペレータがパネルキーボード１３上の決定キーを押す。ステップＳ９２０でパネルキーボード１３上の決定キーの押下が検出されると、ステップＳ９２１において、電飾部４の輝度自動調整ルーチンが実行される。
【００７１】
表示部３および電飾部４の輝度自動調整ルーチンの実行後、ステップＳ９２３において、全ての調整処理が終了したか否かが判断される。未終了の処理がある場合、ステップＳ９２３からステップＳ９１０に戻り、ステップＳ９１０〜ステップＳ９２３の処理が繰返される。全ての処理が終了した場合、ステップＳ９２４において、オペレータの操作に応答して端末装置１の電源がオフされ、ステップＳ９２５で図７の処理が終了する。
【００７２】
図８は、図７のステップＳ９１３で実行される表示部３の輝度自動調整ルーチンを説明するためのフローチャートである。ステップＳ１２００において輝度自動調整ルーチンが開始されると、ステップＳ１２０１において、ラインスキャナ２の照明が消灯させられ、回転検出器４８および副走査同期制御部４９もオフ状態にされる。ステップＳ１２０２において、第１〜第３カウンタＮ，Ｋ，Ｍがそれぞれ１に初期化される（Ｎ＝１，Ｋ＝１，Ｍ＝１）。ステップＳ１２０３において、制御部６は、本体側の液晶コントローラ２２が出力するタイミング信号の１つであるＬＣＤフレーム開始パルスＬＰをデータバス１１およびインタフェース部４１を経由してスキャナ制御部５０に取込ませ、表示画面のフレームサイクル時間の半分に相当する遅延時間Ｔｓが経過した時点に同期してスキャンを開始させる。図７の例に従えば、遅延時間Ｔｓは、６０分の１秒の半分なので、８．４ミリ秒である（Ｔｓ＝（１／６０）／２＝８．４ｍｓｅｃ）。
【００７３】
ステップＳ１２０４において、画面水平方向の１ライン分のスキャニングが終わると同時に画像信号がＡ／Ｄ変換され、ステップＳ１２０５において、変換後の画像データが１ライン多値化メモリ５１に一時記憶される。次いで、ステップＳ１２０６において、１ライン分の画像データがインタフェース部４１とデータバス１１とを介して本体側のランダムアクセスメモリ３２に転送され、ステップＳ１２０７において、Ｋライン目のラインメモリＬ（Ｋ）に記憶される。続いて、ステップＳ１２０８において、第１カウンタＫがインクレメントされ、ステップＳ１２０９において、第１カウンタＫの値があらかじめ定めるＭ回以上であるか否かが判断される（Ｋ≧Ｍ？）。第１カウンタＫの値がＭ回になるまで、ステップＳ１２０３〜ステップＳ１２０９の処理が繰返される。Ｍは回数であって、複数回を意味する。
【００７４】
ここで、これまでの状況を図９の３原色べた表示画像の輝度検出データと調整説明図を用いて説明する。図９において、スキャナによる読取りを行いＡ／Ｄ変換されて１ライン多値化メモリ５１に一時記憶され、本体ラインメモリに転送された１ライン分の画像データが多値化データとして展開された状態を図式的に表現したグラフである。横軸であるＸ軸方向において、図９の左端の座標Ｘ０はラインスキャナ２の左端に相当し、右端の座標Ｘ１２はラインスキャナ２の右端に相当する。したがって、左側の座標Ｘ１０から右側の座標Ｘ１１までの範囲が、表示画面の幅に相当する。図７の例に従えば、表示画面の幅は１００ｍｍであるから、スキャナの走査密度が１ｍｍあたり８本（８本／ｍｍ）であるとすると、８００ドットのデータに相当する。左側の座標Ｘ１０は表示画面の左端を示し、右側の座標Ｘ１１は表示画面の右端である。図９において、縦軸であるＹ軸方向は、ラインスキャナ２の出カレベルを２５６階調で表しており、表示画面の輝度に相当する。
【００７５】
ラインスキャナ２の出力レベルは、表示画面の輝度と比例関係にある。ｋライン目のラインメモリ値Ｌ（ｋ）は、左側の座標Ｘ１０から右側の座標Ｘ１１までの範囲のラインスキャナ２の出力レベルの極大極小の平均値とする。図９は、赤色べた画像の読取り結果を示す例である。図９の例では、左側の座標Ｘ１０から右側の座標Ｘ１１までの範囲のラインスキャナ２の出力レベルの極大極小の平均を求めると、ラインメモリ値Ｌ（１）は１２８となる（Ｌ（１）＝１２８）。図９において、ｋ本目の赤色差分Δｒ（ｋ）は、フラッシュメモリ３３の赤色（Ｒ）の表示輝度基準値Ｌｒ０と読取られた画像データから算出されるｋ本目の赤色のラインメモリ値との差を示す。
【００７６】
再び図８を参照する。第１カウンタの定数Ｍが３である場合（Ｍ＝３）、ステップＳ１２０３〜ステップＳ１２０９の処理で、３回分のデータが取得される。ステップＳ１２１０において、Ｍ回分のデータのラインメモリ値Ｌ（１）〜Ｌ（Ｍ）の平均値Ｌ（Ａ）が求められる。次いで、ステップＳ１２１１において、３原色べた表示画像の色が判定される。具体的には、第２カウンタの値が１（Ｊ＝１）ならば赤色（Ｒ）であり、第２カウンタの値が２（Ｊ＝２）ならば緑色（Ｇ）であり、第２カウンタの値が３（Ｊ＝３）ならば青色（Ｂ）である。
【００７７】
ステップＳ１２１１において、第２カウンタの値が１である場合、ステップＳ１２１２において、赤色のラインメモリ値の平均値Ｌｒ（１）にステップＳ１２１０で求められた平均値Ｌ（Ａ）が代入されて、該平均値Ｌｒ（１）の値が決定される。次いで、ステップＳ１２１３で、表示画面に表示される調整パターンの色が赤色から緑色に切替えられ、ステップＳ１２１３で、第２カウンタＪがインクリメントされて、ステップＳ１２０３に戻る。この結果、緑色のべた表示画像に対して、ステップＳ１２０３〜ステップＳ１２１１の処理が繰返される。
【００７８】
ステップＳ１２１１において、第２カウンタの値が２である場合、ステップＳ１２１５において、緑色のラインメモリ値の平均値Ｌｇ（１）にステップＳ１２１０で求められた平均値Ｌ（Ａ）が代入されて、該平均値Ｌｇ（１）の値が決定される。次いで、ステップＳ１２１６で、表示画面に表示される調整パターンの色が緑色から青色に切替えられ、ステップＳ１２１７で、第２カウンタＪがインクリメントされて、ステップＳ１２０３に戻る。この結果、青色のべた表示画像に対して、ステップＳ１２０３〜ステップＳ１２１１の処理が繰返される。
【００７９】
ステップＳ１２１１において、第２カウンタの値が３である場合、ステップＳ１２１８において、青色のラインメモリ値の平均値Ｌｂ（１）にステップＳ１２１０で求められた平均値Ｌ（Ａ）が代入されて、該平均値Ｌｂ（１）の値が決定される。これによって、赤青緑のラインメモリ値の平均値Ｌｒ（１），Ｌｇ（１），Ｌｂ（１）が得られる。
【００８０】
続いて、ステップＳ１２１９において、フラッシュメモリ３３の赤緑青それぞれの表示輝度基準値Ｌｒ０，Ｌｇ０，Ｌｂ０と、各色の輝度実測値である赤青緑のラインメモリ値の平均値Ｌｒ（１），Ｌｇ（１），Ｌｂ（１）との差分Δｒ（１），Δｇ（１），Δｂ（１）が求められる。ステップＳ１２２０において、各色の差分Δｒ（１），Δｇ（１），Δｂ（１）の絶対値が相互に比較され、差分の絶対値が最も大きいものを選び、最大差分Δｍａｘとする。
【００８１】
ステップＳ１２２１において、最大差分Δｍａｘが予め定める許容階調差Δｐの範囲にあるか否かが判断される。すなわち、最大差分Δｍａｘの絶対値が許容階調差Δｐ以下であるか否かが判断される。許容階調差Δｐは、たとえば階調差５である。最大差分Δｍａｘが許容階調差Δｐの範囲内にあれば、表示部３の輝度調整は不要であるので現在のバックライト２４調整電圧値ＶＥＥのままで良いと判断され、ステップＳ１２２２において、バックライト供給電圧制御回路２５内のラッチ回路に現在ラッチされている値がフラッシュメモリ３３のバックライト２４調整値として更新される。更新後、ステップＳ１２３０で図８の処理は終了し、図７のステップＳ９２３に移行する。
【００８２】
ステップＳ１２２１において、最大差分Δｍａｘが許容階調差Δｐの範囲内に無い場合、ステップＳ１２２３において、最大差分Δｍａｘが正の値か負の値かが判断される。最大差分Δｍａｘが負の値である場合、ステップＳ１２４４において、最大差分Δｍａｘが許容階調差Δｐの範囲内に収まるようにバックライト２４電圧ＶＥＥを上昇させるために、最大差分Δｍａｘに比例したコマンドがバックライト供給電圧制御回路２５に送られる。また最大差分Δｍａｘが０または正の値である場合、ステップＳ１２４５において、最大差分Δｍａｘが許容階調差Δｐの範囲内に収まるようにバックライト２４電圧ＶＥＥを下降させるために、最大差分Δｍａｘに比例したコマンドがバックライト供給電圧制御回路２５に送られる。これらの結果、送られたコマンドに比例した制御値がバックライト供給電圧制御回路２５内のラッチ回路にラッチされる。
【００８３】
続いて、ステップＳ１２２６において、表示画面に表示される調整パターンの色が青から赤に切り換えられる。ステップＳ１２２７において、第３カウンタＮがインクリメントされ、ステップＳ１２２８で第３カウンタＮの値があらかじめ定める上限回数を越えたか否かが判断される。第３カウンタＮは調整サイクルの回数を計数しており、上限回数はたとえば３回である。第３カウンタＮの値が上限回数以下であれば、ステップＳ１２０３に戻る。この結果、ステップＳ１２０３〜ステップＳ１２２７の調整サイクルが繰返される。調整サイクルの繰返し回数は３回を限度としており、調整サイクルの繰返しが上限回数を越える場合は、ステップＳ１２２９において、調整エラー処理として、ブザーの鳴動等の報知処理が行われ、ステップＳ１２３０において図８の処理が終了する。
【００８４】
図１０は、図４の３原色帯状同時表示画像を読取って得られる画像データが多値化データとして展開された状態を図式的に表現したグラフである。図１０のＸ軸およびＹ軸ならびに左右端の座標Ｘ０，Ｘ１２の意味付けは、図９と等しい。左側から順に、第１座標Ｘ１から第２座標Ｘ２までの範囲が表示画面の白色部分の輝度に相当し、第２座標Ｘ２から第３座標Ｘ３までの範囲が表示画面の赤色部分の輝度Ｌｒ（１）に相当し、第３座標Ｘ３から第４座標Ｘ４までの範囲が表示画面の緑色部分の輝度Ｌｇ（１）に相当し、第４座標Ｘ４から第５座標Ｘ５までの範囲が表示画面の青色部分の輝度Ｌｂ（１）に相当し、第５座標Ｘ５から第６座標Ｘ６までの範囲が表示画面の黒色部分の輝度に相当する。このように、図４の３原色帯状同時表示画像が表示される場合、調整パターンを各色毎に切り換えることなく、少なくとも赤緑青の３色の輝度を１回の主走査によって取得することができる。
【００８５】
図１０で示す表示画面の各色部分の輝度Ｌｒ（１），Ｌｇ（１），Ｌｂ（１）と各色の表示輝度基準値Ｌｒ０，Ｌｇ０，Ｌｂ０との差分Δｒ（１），Δｇ（１），Δｂ（１）が求められ、得られた輝度差分Δｒ（１），Δｇ（１），Δｂ（１）の中から最大の輝度差分が選ばれる。図１０の例では、緑の輝度差分Δｇ（１）が最も大きいので、矢印１４０２で示すように、緑色部分の実測の輝度Ｌｇ（１）が緑色の表示輝度基準値Ｌｇ０まで下がるように、バックライト供給電圧制御回路２５の制御値がコマンドによって変更され、複数回の制御で輝度差分Δｇ（ｎ）が許容範囲Δｐ以内に収まった時点の制御値がラッチされ、バックライト２４調整値として記憶される。結果として、輝度調整によって、各色の輝度の実測値１４０４，１４０３，１４０５が各色の表示輝度基準値Ｌｒ０，Ｌｇ０，Ｌｂ０と一致するように制御される。
【００８６】
また、図５の灰色べた画像が調整パターンとして用いられる場合、表示画面内の赤緑青の各素子の輝度がそれぞれ中間階調になっているので、ラインスキャナ２の出力は、各色素子の輝度がミックスされた輝度を示している。灰色の輝度基準制御値が表示輝度基準値に加えられていれば、制御部６が、灰色の輝度基準値とスキャナによって測定される実測の輝度とを比較して、両者の輝度差分が許容範囲内に入るようにバックライト２４の輝度を制御することによって、人手によっては不可能な判別が客観的に実行可能である。たとえば、ガンマー補正のバラツキが全くないように調整された液晶表示ユニットを表示部３の構成要素として用いる端末装置１の輝度調整は、灰色べた画像を用いる手法でも有効である。
【００８７】
図７のステップＳ９２１で実行される電飾部４の輝度自動調整ルーチンにおいて、ハンドスキャナの動作および取得されたデータ処理は、大筋において図８で説明された表示部３の輝度調整ルーチンに類似している。ゆえに、電飾部４の輝度自動調整ルーチンの詳しいフローは省略し、図１１を用いて動作を説明する。図１１は、赤色発光ダイオード点灯時に、左右電飾部４の輝度が１ラインスキャナ２で主走査されて多値化メモリに一時記憶され、インタフェース部４１を経て本体側のラインメモリに記憶された１ライン分の画像データが多値化データとして展開された状況を示している。図１１のＸ軸およびＹ軸ならびに左右端の座標Ｘ０，Ｘ１２の意味付けは、図９と等しい。図１１において、左側の２つの座標Ｘ１，Ｘ２間の範囲が左側電飾部４の輝度の実測値１５０１を示し、右側の２つの座標Ｘ３，Ｘ４間の範囲が右側電飾部４の輝度の実測値１５０２を示す。またイルミネーション輝度基準値Ｉｒ０を、Ｙ軸上に示す。
【００８８】
左側電飾部４の輝度の実測値１５０１と右側電飾部４の輝度の実測値１５０２とをイルミネーション輝度基準値Ｉｒ０と比較すると、左側電飾部４の輝度の実測値１５０１は輝度差分ΔＩｌ（１）だけイルミネーション輝度基準値Ｉｒ０よりも輝度が高く、右側電飾部４の輝度の実測値１５０１は輝度差分ΔＩｒ（１）だけイルミネーション輝度基準値Ｉｒ０よりも輝度が低い。ゆえに、左側電飾部４は実測値１５０１よりも輝度を下げるように制御され、右側電飾部４は実測値１５０２よりも輝度を上げるように制御される。具体的には、左側電飾部４に対しては、イルミネーション表示制御回路の左側電飾部４用の電子ボリュームの抵抗値を上げるようにコマンドがラッチ回路に送られ、実測値１５０１とイルミネーション輝度基準値Ｉｒ０とが一致するまで抵抗値が制御され、両者が一致した時点の制御値がラッチされ、ラッチされた制御値がフラッシュメモリ３３の左側電飾部４の赤色の調整値として更新される。また右側電飾部４に対しては、左側電飾部４と同様に、イルミネーション表示制御回路の右側電飾部４用の電子ボリュームの抵抗値を下げることによって、実測値１５０２とイルミネーション輝度基準値Ｉｒ０とが一致するまで左側電飾部４の輝度が上昇するように制御され、両者が一致した時点の制御値がフラッシュメモリ３３の右側電飾部４の赤色の調整値として更新される。さらに、電飾部４の赤色の輝度調整と同様の手順で電飾部４の緑色の輝度調整が行われる。これによって、フラッシュメモリ３３には、左右電飾部４の赤色および緑色の調整値として、合計４個の調整値が更新記憶される。
【００８９】
図１２は、図３の３色の３原色べた画像を調整パターンとして用いる場合の表示部３の輝度調整を説明するためのタイムチャートである。図１２（Ａ）に示す調整モードスタートタイミング７０１に応答して、図１２（Ｂ）に示す調整モード７０２に入る。調整モード開始後、図１２（Ｃ）に示すように、表示部３の表示画面の状態は、赤色べた画像表示７０３と緑色べた画像表示７０４と赤色べた画像表示７０５とに、間隔を空けて順次切替わる。各色べた画像表示中に、ラインスキャナ２によって読取られた画面の画像データ、すなわち表示画面の輝度は、読取りのたびに、図１２（Ｄ）で示すタイミングで本体部の記憶部５に転送され、図１２（Ｅ）で示すタイミングで本体部の記憶部５に記憶される。輝度の取得転送および記憶は、各色べた画像表示中に複数回行われる。各色べた画像表示後、図１２（Ｆ）に示す輝度の平均値の演算処理７０７，７０８，７０９が実行される。フレームサイクル毎に輝度を一回測定すれば、数回の測定を行っても１００ｍｓｅｃ以内で１色の輝度の平均値は演算可能である。
【００９０】
三色目の輝度の平均値の演算後、図１２（Ｇ）に示すタイミング７１０で、３色の中で最も輝度差分の大きい色を選択し、再調整の要否判別が行なわれる。再調整が必要であれば、図１２（Ｈ）に示すタイミング７１１で、輝度に着目し１回目の輝度補正が行なわれる。１または複数回の輝度補正が繰り返された後、図１２（Ｉ）に示すタイミング７１２で表示部３の輝度調整が完了し、次いで図１２（Ｊ）に示すタイミング７１３で、補正値が不揮発メモリに記憶され、図１２（Ｂ）に示すタイミング７１４で表示部３の輝度調整モードが終了する。これによって、調整モード開始タイミング７０１から表示部３の輝度調整モード終了タイミング７１４までの時間が５００ｍ秒〜１秒程度ですむ。この結果端末装置１は、殆ど時間をかけることなく、かつ客観的に、表示部３の輝度調整を行うことができる。
【００９１】
図１３は、図４の３色帯状同時表示画像を調整パターンとして用いる場合の表示部３の輝度調整を説明するためのタイムチャートである。図１３（Ａ），図１３（Ｂ）、図１３（Ｄ）〜図１３（Ｊ）の意味合いは、図１２（Ａ），図１２（Ｂ）、図１２（Ｄ）〜図１２（Ｊ）と等しいので説明は省略する。また図１３の例では、調整モード開始後、図１３（Ｃ）に示すように、表示部３の表示画面の状態は、３色帯状同時表示画像８０３，８０４，８０５が、間隔を空けて繰返し表示されている。各３色帯状同時表示画像表示中に、表示画面の３色分の輝度は、読取りのたびに、図１３（Ｄ）で示すタイミングで本体部の記憶部５に転送され、図１３（Ｅ）で示すタイミングで本体部の記憶部５に記憶される。輝度の取得転送および記憶は、各３色帯状同時画像表示中に複数回行われる。３色帯状同時画像が１回表示されるたびに、表示後、図１３（Ｆ）に示す各色の輝度の平均値の演算処理８０６，８０７，８０８が実行される。演算処理実行後、図１３（Ｇ）に示すタイミング８０９で、３色の中で最も輝度差分の大きい色を選択し、再調整の要否判別が行なわれる。再調整が必要であれば、図１３（Ｈ）に示すタイミング８１０で、輝度に着目し１回目の輝度補正が行なわれる。１または複数回の輝度補正が繰り返された後、図１３（Ｉ）に示すタイミング８１１で表示部３の輝度調整が完了し、次いで図１３（Ｊ）に示すタイミング８１２で、補正値が不揮発メモリに記憶され、図１３（Ｂ）に示すタイミング８１３で表示部３の輝度調整モードが終了する。図１３の手順は、図１２の手順よりも表示画面のスキャン回数が少ない分、図１３の手順の方が早い。また図１３の手順は、多くの人の視覚に調整の平均制御値を求める場合に用いて、装置毎の基準制御値を決める際に役立つ。
【００９２】
以上の説明では、カラー画面の調整手法について述べてきた。図１の端末装置１において表示画面がモノクロ表示である場合、白色と黒色と灰色との調整パターンを白黒の中間調を含めて生成したならば、輝度調整はカラー画面の調整手法に包含される手法で容易に実行可能である。
【００９３】
図１４および図１５は、従来技術の表示部３および電飾部４の輝度調整手法の１例を説明するためのフローチャートである。人手を用いて輝度調整を行う従来技術は、たとえば、図７のフローチャートのうちのステップＳ９１３〜ステップＳ９１６を図１４の処理に置換え、ステップＳ９１８〜ステップＳ９２１を図１５の処理に置換えた処理である。
【００９４】
図１４において、ステップＳ１００１で表示部３の表示画面に輝度の調整パターンが表示され、ステップＳ１００２で表示部３のコントラストおよび輝度が最適になるように、オペレータが肉眼で表示部３を確認しつつ操作パネルのカーソルキーおよび決定キーを操作する。決定キー操作後、操作パネルへの操作によって選択された表示部３の輝度の制御値が、不揮発性メモリに記憶される。
【００９５】
図１５において、ステップＳ１１０１で操作パネル上の電飾部４が点灯され、ステップＳ１１０２で左右電飾部４の輝度が両者の差異の無い最適な輝度になるように、オペレータが肉眼で左右電飾部４を比較しつつ操作パネルのカーソルキーおよび決定キーを操作する。決定キー操作後、操作パネルへの操作によって選択された電飾部４の輝度の制御値が、不揮発性メモリに記憶される。
【００９６】
このように、従来技術では、表示部３および電飾部４の輝度調整に人手による作業が入っている。人手による作業部分はいずれも数分係る作業であり、オペレータの差、オペレータの疲労、および照明環境の違いによって調整誤差が免れないことがわかる。従来技術に対して図１の端末装置１では、図７で説明したように、輝度調整中に人手を煩わす可能性があるのはラインスキャナ２を設置するような極めて容易な作業だけなので、人手が介在することに起因する調整誤差の発生が抑えられる。
【００９７】
【発明の効果】
以上のように本発明によれば、端末装置は、画像を表示可能な表示手段の輝度調整を、取外し可能なラインスキャナを用いて行う。輝度調整制御時にラインスキャナによって１ライン分ずつ読取られた輝度の各色毎の輝度の平均値と予め定める基準値との差分が予め定める許容範囲外である場合、差分が許容範囲内に入るように表示手段が制御される。これによって、端末装置は、人手による視覚および調整環境の明るさの差異に起因する輝度の調整ムラを、簡便かつ確実な手法で客観的かつ自動的に解消することが可能になる。
【００９８】
また以上のように本発明によれば、端末装置は、個々に点灯可能な複数の電蝕手段の輝度調整を、取外し可能なラインスキャナを用いて行う。すなわち、輝度調整制御時にラインスキャナによって読取られた各電飾手段の輝度が相互に一致し、かつ該各電飾手段の輝度が予め定める許容範囲内に収まるように、電飾手段が制御される。これによって、端末装置は、使用環境で適当に目立ちやすくかつ輝度の調整ムラのない品位のある発光表示を、簡便かつ確実な手法で客観的に自動調整することができる。
【００９９】
さらにまた本発明によれば、端末装置において、表示手段の輝度調整時に、ラインスキャナが、表示画面の上下方向の中央部に、かつ主走査方向が該表示画面の水平軸に該平行になるように、載せられる。これによって、ラインスキャナは、表示画面の各色の輝度を平均的に取得することができる。また表示手段の輝度調整時に、表示画面に調整パターンを表示するための表示制御信号の各フレーム開始時刻から１／２フレーム周期分だけ遅れた時刻に同期して、ラインスキャナの走査開始時刻が設定される。これによって、ラインスキャナによって比較的安定した輝度を測定することができる。
【０１００】
また本発明によれば、端末装置において、表示画面の輝度が１ライン分ずつ複数ライン分読取られ、複数ライン分の輝度のデータの各色毎の平均値に基づき輝度調整制御が行われる。これによって、表示画面に対するラインスキャナの位置の精度に関わらず、端末装置は正確な輝度調整を自動的に行うことができる。
【０１０１】
さらにまた本発明によれば、表示手段の調整に際し、調整パターンとして、表示画面全体を単一色を塗潰した画像が用いられ、かつ、表示する色が予め定める周期毎に順次切換えられる。また本発明によれば、表示手段の調整に際し、調整パターンとして、赤青緑に代表される１以上の有彩色、黒色、および白色のうちの少なくとも２色の帯状のパターンを水平軸に対して垂直に並べるパターンが用いられる。さらにまた本発明によれば、表示手段の調整に際し、調整パターンとして、表示の中間調である灰色で全体を塗潰したパターンが用いられる。これらによって、端末装置は処理を簡略化することができる。
【０１０２】
また本発明によれば、ラインスキャナと制御手段との間のデータ伝送が、有線媒体を介した有線伝送によって行われる。これによって端末装置は、装置構成の煩雑化を防止することができる。さらにまた本発明によれば、ラインスキャナと制御手段との間のデータ伝送が、光通信によってよって行われる。これによって端末装置は、有線伝送用のケーブルが邪魔になるような環境下でも輝度調整を行うことができる。また本発明によれば、ラインスキャナと制御手段との間のデータ伝送が、カード状媒体等の記憶媒体を介在させて行われる。これによって端末装置は、より簡潔に輝度調整を行うことができる。
【図面の簡単な説明】
【図１】本発明の実施の一形態である端末装置１の全体構成を示すブロック図である。
【図２】図１の端末装置１のラインスキャナ２の構成を示すブロック図である。
【図３】図１の端末装置１で用いられる第１調整パターンとラインスキャナ２の配置状態とを示す図である。
【図４】図１の端末装置１で用いられる第２調整パターンを示す図である。
【図５】図１の端末装置１で用いられる第３調整パターンを示す図である。
【図６】図１の端末装置１の電飾部４の輝度調整時のラインスキャナ２の配置状態を示す図である。
【図７】図１の端末装置１全体の処理を示すフローチャートである。
【図８】図７のステップＳ９１６で実行される表示部３の輝度自動調整ルーチンを示すフローチャートである。
【図９】図３の第１調整パターンを用いる表示部輝度調整時の表示部３の輝度分布を模式的に示す図である。
【図１０】図４の第２調整パターンを用いる表示部輝度調整時の表示部３の輝度分布を模式的に示す図である。
【図１１】電飾部輝度調整時の電飾部４および表示部３の輝度分布を模式的に示す図である。
【図１２】図３の調整パターンが用いられる場合における図１の端末装置１の輝度調整のタイムチャートである。
【図１３】図４の調整パターンが用いられる場合における図１の端末装置１の輝度調整のタイムチャートである。
【図１４】従来技術の端末装置１の表示部３の輝度調整処理を説明するためのフローチャートである。
【図１５】従来技術の端末装置の電飾部４の輝度調整処理を説明するためのフローチャートである。
【符号の説明】
１  端末装置
２  ラインスキャナ
３  表示部
４  電飾部
４Ｌ  左電飾部
４Ｒ  右電飾部
５  記憶部
６  制御部
７  有線伝送部
８  光伝送部
９  記憶媒体伝送部
【図１】
2004236146.tif 000003
【図２】
2004236146.tif 000004
【図３】
2004236146.tif 000005
【図４】
2004236146.tif 000006
【図５】
2004236146.tif 000007
【図６】
2004236146.tif 000008
【図７】
2004236146.tif 000009
【図８】
2004236146.tif 000010
【図９】
2004236146.tif 000011
【図１０】
2004236146.tif 000012
【図１１】
2004236146.tif 000013
【図１２】
2004236146.tif 000014
【図１３】
2004236146.tif 000015
【図１４】
2004236146.tif 000016
【図１５】
2004236146.tif 000017